(57)【要約】【課題】硬貨の分離に要する時間の短縮化を図ること。【解決手段】入金ユニット１０ａと分離ユニット１０ｂとを備え、分離ユニット１０ｂは、入金ユニット１０ａに搬送される硬貨Ｋのうち先頭の硬貨Ｋが入金ベルト１２の上方側張設部分１２ａの後端部より後方に突出した状態で自身に当接する場合に、硬貨Ｋの搬送を規制するストッパ１７４と、前後一対の分離プーリ１７１間に、後方に向けて漸次下方に傾斜する態様で無端状に張設された左右一対の分離ベルト１７２と、左右方向に沿って延在して分離ベルト１７２間に架設された分離用ピン１７３とを備え、分離プーリ１７１の回転によって分離ベルト１７２が延在方向に沿って変位することにより、分離用ピン１７３がストッパ１７４に当接する先頭の硬貨Ｋを押圧して他の硬貨Ｋと分離させるとともに、分離させた硬貨Ｋを後方に向けて漸次下方に傾斜する補助搬送ベルト１８２と挟持して搬送する。【選択図】図５
2020086582.tif 000002
【特許請求の範囲】
【請求項１】
前後一対の第１プーリ間に、後方に向けて漸次上方に傾斜する態様で無端状に張設された第１ベルトを有して成り、前記第１プーリの回転によって該第１ベルトの上方側張設部分が後方に向けて変位することにより、入金された複数の硬貨を互いに重ならないよう前記上方側張設部分に載置させて後方に搬送する入金ユニットと、
前記入金ユニットにより搬送された硬貨を１枚ずつ分離させた状態で供給する分離ユニットと
を備えた硬貨分離装置であって、
前記分離ユニットは、
前記入金ユニットに搬送される硬貨のうち先頭の硬貨が前記第１ベルトの上方側張設部分の後端部より後方に突出した状態で自身に当接する場合に、前記第１ベルトの変位に関わらず前記硬貨の搬送を規制するストッパと、
前後一対の第２プーリ間に、後方に向けて漸次下方に傾斜する態様で無端状に張設された左右一対の第２ベルトと、
左右方向に沿って延在し、かつ前記第２ベルト間に架設されたピン部材と
を備え、
前記第２プーリの回転によって前記第２ベルトが延在方向に沿って変位することにより、前記ピン部材が前記ストッパに当接する先頭の硬貨を押圧して他の硬貨と分離させるとともに、分離させた硬貨を後方に向けて漸次下方に傾斜する第３ベルトと挟持して搬送することで供給することを特徴とする硬貨分離装置。
【請求項２】
前記第２ベルトの変位は、分離させた硬貨の供給先の搬送部材の変位と同期されていることを特徴とする請求項１に記載の硬貨分離装置。
【発明の詳細な説明】
【技術分野】
【０００１】
本発明は、硬貨分離装置に関し、より詳細には、入金された複数の硬貨を１枚ずつ分離させた状態で供給する硬貨分離装置に関するものである。
【背景技術】
【０００２】
従来、例えば釣銭機として適用される硬貨処理機は、入金口に投入された硬貨の真偽及び金種を識別した後、正貨として識別された硬貨を自動的に取り込んで金種毎に設けられた硬貨収納庫に収納する。また硬貨処理機は、硬貨収納庫に収納されている硬貨を、外部の装置等からの釣銭払出要求に応じて要求金額の硬貨を釣銭として出金口に払い出す。
【０００３】
上記硬貨処理機は、入金された硬貨を１枚ずつ分離させた状態で供給する硬貨分離装置を有している。硬貨分離装置は、有底円筒状の回転体収納部に、複数の硬貨通過孔が形成された回転体が中心軸回りに回転可能に収納されている。この硬貨分離装置は、硬貨を回転収納部に案内し、硬貨通過孔を通過した硬貨を回転体収納部に形成された供給口より１枚ずつ供給している（例えば、特許文献１参照）。
【先行技術文献】
【特許文献】
【０００４】
【特許文献１】特開２０１８−９２６０９号公報
【発明の概要】
【発明が解決しようとする課題】
【０００５】
しかしながら、上記硬貨分離装置は、硬貨を回転収納部に案内し、回転する回転体の硬貨通過孔を通過した硬貨を供給口より１枚ずつ供給しているので、回転収納部に案内する硬貨が硬貨通過孔をスムーズに通過できないと、結果的に硬貨の分離に要する時間が長大化していた。
【０００６】
本発明は、上記実情に鑑みて、硬貨の分離に要する時間の短縮化を図ることができる硬貨分離装置を提供することを目的とする。
【課題を解決するための手段】
【０００７】
上記目的を達成するために、本発明に係る硬貨分離装置は、前後一対の第１プーリ間に、後方に向けて漸次上方に傾斜する態様で無端状に張設された第１ベルトを有して成り、前記第１プーリの回転によって該第１ベルトの上方側張設部分が後方に向けて変位することにより、入金された複数の硬貨を互いに重ならないよう前記上方側張設部分に載置させて後方に搬送する入金ユニットと、前記入金ユニットにより搬送された硬貨を１枚ずつ分離させた状態で供給する分離ユニットとを備えた硬貨分離装置であって、前記分離ユニットは、前記入金ユニットに搬送される硬貨のうち先頭の硬貨が前記第１ベルトの上方側張設部分の後端部より後方に突出した状態で自身に当接する場合に、前記第１ベルトの変位に関わらず前記硬貨の搬送を規制するストッパと、前後一対の第２プーリ間に、後方に向けて漸次下方に傾斜する態様で無端状に張設された左右一対の第２ベルトと、左右方向に沿って延在し、かつ前記第２ベルト間に架設されたピン部材とを備え、前記第２プーリの回転によって前記第２ベルトが延在方向に沿って変位することにより、前記ピン部材が前記ストッパに当接する先頭の硬貨を押圧して他の硬貨と分離させるとともに、分離させた硬貨を後方に向けて漸次下方に傾斜する第３ベルトと挟持して搬送することで供給することを特徴とする。
【０００８】
また本発明は、上記硬貨分離装置において、前記第２ベルトの変位は、分離させた硬貨の供給先の搬送部材の変位と同期されていることを特徴とする。
【発明の効果】
【０００９】
本発明によれば、分離ユニットは、入金ユニットに搬送される硬貨のうち先頭の硬貨が第１ベルトの上方側張設部分の後端部より後方に突出した状態で自身に当接する場合に、第１ベルトの変位に関わらず硬貨の搬送を規制するストッパと、前後一対の第２プーリ間に、後方に向けて漸次下方に傾斜する態様で無端状に張設された左右一対の第２ベルトと、左右方向に沿って延在し、かつ第２ベルト間に架設されたピン部材とを備え、第２プーリの回転によって第２ベルトが延在方向に沿って変位することにより、ピン部材がストッパに当接する先頭の硬貨を押圧して他の硬貨と分離させるとともに、分離させた硬貨を後方に向けて漸次下方に傾斜する第３ベルトと挟持して搬送することで供給するので、従来のように回転する回転体の硬貨通過孔を通過させる場合に比して、硬貨の分離に要する時間の短縮化を図ることができるという効果を奏する。
【図面の簡単な説明】
【００１０】
【図１】図１は、本発明の実施の形態である硬貨分離装置が適用された硬貨処理機の内部構造を示す斜視図である。
【図２】図２は、図１に示した硬貨処理機の要部を示す斜視図である。
【図３】図３は、図２に示した一部の構成要素を省略した硬貨処理機の要部を示す斜視図である。
【図４】図４は、図２及び図３に示した硬貨分離装置の要部を示す斜視図である。
【図５】図５は、図２及び図３に示した硬貨分離装置の要部を硬貨検銭装置の要部とともに示す断面図である。
【図６】図６は、図４及び図５に示した硬貨分離装置による硬貨の搬送の様子を示す説明図である。
【図７】図７は、図４及び図５に示した硬貨分離装置による硬貨の搬送の様子を示す説明図である。
【図８】図８は、図４及び図５に示した硬貨分離装置による硬貨の搬送の様子を示す説明図である。
【図９】図９は、図４及び図５に示した硬貨分離装置による硬貨の搬送の様子を示す説明図である。
【図１０】図１０は、図４及び図５に示した硬貨分離装置による硬貨の搬送の様子を示す説明図である。
【図１１】図１１は、図４及び図５に示した硬貨分離装置による硬貨の搬送の様子を示す説明図である。
【発明を実施するための形態】
【００１１】
以下に添付図面を参照して、本発明に係る硬貨分離装置の好適な実施の形態について詳細に説明する。
【００１２】
図１は、本発明の実施の形態である硬貨分離装置が適用された硬貨処理機の内部構造を示す斜視図であり、図２は、図１に示した硬貨処理機の要部を示す斜視図であり、図３は、図２に示した一部の構成要素を省略した硬貨処理機の要部を示す斜視図である。
【００１３】
ここで例示する硬貨処理機１は、例えば釣銭機として適用されるものであり、硬貨分離装置１０、硬貨検銭装置２０、硬貨搬送装置３０及び硬貨収納装置４０を備えて構成されている。
【００１４】
硬貨分離装置１０は、入金口２を通じて入金された硬貨を１枚ずつ分離させた状態で供給するものである。この硬貨分離装置１０の構成については後述する。
【００１５】
硬貨検銭装置２０は、硬貨分離装置１０から供給された硬貨の真偽及び金種を鑑別し、正貨を硬貨搬送装置３０に送出する一方、偽貨を図示せぬ払出ユニットに送出するものである。この払出ユニットは、自身に払い出された硬貨を出金部３に送出して、該出金部３に設けられた硬貨払出口４より外部に払い出させるものである。
【００１６】
上記硬貨検銭装置２０の構成について説明する。かかる硬貨検銭装置２０は、搬送プーリ２１と、搬送ベルト２２と、搬送部材２３とを備えている。
【００１７】
搬送プーリ２１は、前後一対となる態様で設置されている。前方側の搬送プーリ２１ａは、図示せぬ搬送モータの出力軸に連係されている。この前方側の搬送プーリ２１ａは、搬送モータの駆動により、自身の中心軸を軸心としてその軸心回りに回転する駆動プーリである。かかる前方側の搬送プーリ２１ａは、搬送モータの駆動力が付与されることにより、左方から見て反時計回りに回転する。
【００１８】
搬送ベルト２２は、左右一対となる左側の搬送ベルト２２Ｌと右側の搬送ベルト２２Ｒとを有して構成されており、それぞれ搬送プーリ２１間に無端状に張設されている。このような搬送ベルト２２は、前方側の搬送プーリ２１ａが回転することにより、その延在方向に沿って変位する。より詳細に説明すると、搬送ベルト２２は、前方側の搬送プーリ２１ａが回転することにより、上方側張設部分が後方に向かいつつ下方側張設部分が前方に向かう態様で変位する。
【００１９】
かかる搬送ベルト２２を介して前方側の搬送プーリ２１ａに連係される後方側の搬送プーリ２１ｂは、該前方側の搬送プーリ２１ａの回転により、自身の中心軸を軸心として左方から見て反時計回りに回転する。つまり、後方側の搬送プーリ２１ｂは、前方側の搬送プーリ２１ａの回転に応じて回転する従動プーリである。
【００２０】
搬送部材２３は、複数設けられており、それぞれが左右一対の搬送ベルト２２を跨る態様で、該搬送ベルト２２の延在方向に沿って等間隔に設けられている。
【００２１】
そのような硬貨検銭装置２０では、搬送モータの駆動により前方側の搬送プーリ２１ａが回転して、搬送ベルト２２が延在方向に沿って変位する。硬貨分離装置１０より硬貨が供給されると、搬送ベルト２２の変位により後方に向かって移動する搬送部材２３が該硬貨に当接し、該硬貨を後方に向けて移動させる。かかる移動途中において、鑑別部２４により該硬貨の真偽及び金種を鑑別する。そして、正貨と鑑別された硬貨については、後方に向けて移動させている途中において、送出口２５に払い出し、かかる送出口２５を通じて硬貨搬送装置３０に送出する。一方、偽貨と鑑別された硬貨については、偽貨開口２６を通じて下方に落下させ、前方に向かって移動する搬送部材２３が該硬貨に当接し、該硬貨を前方に向けて移動させて払出ユニットに送出する。
【００２２】
硬貨搬送装置３０は、硬貨検銭装置２０から送出された硬貨（正貨）を搬送経路に沿って搬送し、金種毎に振り分けて硬貨収納装置４０に供給するものである。硬貨収納装置４０は、金種毎に硬貨を収納しつつ、出金指令に応じて硬貨を出金部３に払い出すものである。
【００２３】
図４は、図２及び図３に示した硬貨分離装置１０の要部を示す斜視図であり、図５は、図２及び図３に示した硬貨分離装置１０の要部を硬貨検銭装置２０の要部とともに示す断面図である。
【００２４】
これら図４及び図５にも示すように、硬貨分離装置１０は、入金ユニット１０ａと分離ユニット１０ｂとを備えて構成されている。入金ユニット１０ａは、入金口２を通じて入金された硬貨を分離ユニット１０ｂに供給するものである。
【００２５】
この入金ユニット１０ａは、入金プーリ（第１プーリ）１１と、入金ベルト（第１ベルト）１２と、入金リバースローラ１３とを備えて構成されている。
【００２６】
入金プーリ１１は、前後一対となる態様で設置されており、後方側の入金プーリ１１ａが前方側の入金プーリ１１ｂよりも上方に配置されている。後方側の入金プーリ１１ａは、入金ユニット用モータ１４の出力軸に連係部材１５を介して連係されている。この後方側の入金プーリ１１ａは、入金ユニット用モータ１４の駆動により、自身の中心軸を軸心としてその軸心回りに回転する駆動プーリである。かかる後方側の入金プーリ１１ａは、入金ユニット用モータ１４の駆動力が付与されることにより、左方から見て反時計回りに回転する。
【００２７】
入金ベルト１２は、入金プーリ１１間に無端状に張設されている。より詳細に説明すると、後方に向けて漸次上方に傾斜する態様で無端状に張設されている。このような入金ベルト１２は、後方側の入金プーリ１１ａが入金ユニット用モータ１４の駆動により回転することにより、その延在方向に変位する。つまり、入金ベルト１２は、後方側の入金プーリ１１ａが回転することにより、上方側張設部分１２ａが後方に向かう態様で変位する。かかる入金ベルト１２を介して後方側の入金プーリ１１ａに連係される前方側の入金プーリ１１ｂは、該後方側の入金プーリ１１ａの回転により、自身の中心軸を軸心として左方から見て反時計回りに回転する。つまり、前方側の入金プーリ１１ｂは、後方側の入金プーリ１１ａの回転に応じて回転する従動プーリである。
【００２８】
入金リバースローラ１３は、入金ベルト１２の上方側張設部分１２ａよりも上方に配置されている。この入金リバースローラ１３は、上記連係部材１５を介して後方側の入金プーリ１１ａに連係しており、後方側の入金プーリ１１ａの回転に伴って自身の軸心回りに回転するものである。この入金リバースローラ１３は、入金ベルト１２の変位により、その上方側張設部分１２ａに複数枚重なった状態の硬貨に接して、該上方側張設部分１２ａに硬貨が互いに重ならないよう１枚ずつ載置されるようにするものである。
【００２９】
分離ユニット１０ｂは、ガイド機構部１６、分離機構部１７及び補助搬送部１８を備えて構成されている。ガイド機構部１６は、ガイド本体１６１と、硬貨保持ガイド１６２と、硬貨押さえガイド１６３とを備えている。
【００３０】
ガイド本体１６１は、入金ユニット１０ａの後方側に配置され、後方に向けて漸次上方に傾斜する態様で設けられている。このガイド本体１６１は、前面、下面、後面に開口を有するとともに、上面の一部にも開口を有する箱状を成している。このガイド本体１６１は、入金ユニット１０ａから供給される硬貨の左右方向の移動を規制しながら後方へ案内するものである。
【００３１】
硬貨保持ガイド１６２は、左右一対となる態様でガイド本体１６１における下面の開口の近傍に設けられている。これら硬貨保持ガイド１６２は、前後方向に沿って延在する板状部材であり、保持ガイド軸部１６２ａと保持ガイド作用部１６２ｂとを有している。
【００３２】
保持ガイド軸部１６２ａは、硬貨保持ガイド１６２の前端部分を構成しており、ガイド本体１６１に軸支されている。保持ガイド作用部１６２ｂは、保持ガイド軸部１６２ａより後方に向けて延在する部分である。
【００３３】
このような硬貨保持ガイド１６２は、常態においては、図示せぬ付勢手段に付勢されることにより、入金ベルト１２の上方側張設部分１２ａの後方側の延長線上に、後方に向けて漸次上方に傾斜する姿勢となっている。かかる硬貨保持ガイド１６２は、保持ガイド軸部１６２ａを中心にして下方に揺動可能である。
【００３４】
硬貨押さえガイド１６３は、ガイド本体１６１における上面の開口の近傍に設けられている。この硬貨押さえガイド１６３は、前後方向に沿って延在する板状部材であり、押さえガイド軸部１６３ａと押さえガイド作用部１６３ｂとを有している。
【００３５】
押さえガイド軸部１６３ａは、硬貨押さえガイド１６３の後端部分を構成しており、図示せぬ支持部材に軸支されている。押さえガイド作用部１６３ｂは、押さえガイド軸部１６３ａより前方に向けて延在する部分である。この押さえガイド作用部１６３ｂは、その延在途中で上方に屈曲している。
【００３６】
分離機構部１７は、ガイド機構部１６より後方側において、該ガイド機構部１６から離隔して配置されており、分離プーリ（第２プーリ）１７１と、分離ベルト（第２ベルト）１７２と、分離用ピン（ピン部材）１７３と、ストッパ１７４とを備えて構成されている。
【００３７】
分離プーリ１７１は、前後一対となる態様で設置されており、前方側の分離プーリ１７１ａが後方側の分離プーリ１７１ｂよりも上方に配置されている。後方側の分離プーリ１７１ｂは、図示せぬ連係手段を通じて上記搬送モータに連係されている。この後方側の分離プーリ１７１ｂは、搬送モータの駆動により、自身の中心軸を軸心としてその軸心回りに回転する駆動プーリである。かかる後方側の分離プーリ１７１ｂは、搬送モータの駆動力が付与されることにより、左方から見て時計回りに回転する。
【００３８】
分離ベルト１７２は、左右一対となる左側の分離ベルト１７２Ｌと右側の分離ベルト１７２Ｒとを有して構成されており、それぞれ分離プーリ１７１間に無端状に張設されている。より詳細に説明すると、後方に向けて漸次下方に傾斜する態様で無端状に張設されている。このような分離ベルト１７２は、後方側の分離プーリ１７１ｂが回転することにより、その延在方向に沿って変位する。より詳細に説明すると、分離ベルト１７２は、後方側の分離プーリ１７１ｂが回転することにより、上方側張設部分１７２ａが前方に向かいつつ下方側張設部分１７２ｂが後方に向かう態様で変位する。
【００３９】
上述したように後方側の分離プーリ１７１ｂが搬送モータの駆動により回転することから、分離ベルト１７２の変位は、搬送ベルト２２の変位、すなわち搬送部材２３の変位と同期されている。
【００４０】
かかる分離ベルト１７２を介して後方側の分離プーリ１７１ｂに連係される前方側の分離プーリ１７１ａは、該後方側の分離プーリ１７１ｂの回転により、自身の中心軸を軸心として左方から見て時計回りに回転する。つまり、前方側の分離プーリ１７１ａは、後方側の分離プーリ１７１ｂの回転に応じて回転する従動プーリである。
【００４１】
分離用ピン１７３は、複数（図示の例では２つ）設けられており、左右方向に沿って延在するものである。これら分離用ピン１７３は、互いに離隔した状態で、分離ベルト１７２間に架設されており、分離ベルト１７２の変位にしたがって変位するものである。
【００４２】
ストッパ１７４は、板金等を屈曲して構成されたものであり、前方側の分離プーリ１７１ａ間に架設してある。このストッパ１７４は、入金ベルト１２の上方側張設部分１７２ａの後方側の延長線上において、ガイド本体１６１の後面の開口に対向する当接部１７４ａが設けられている。
【００４３】
補助搬送部１８は、ガイド機構部１６の下方に配置されており、補助搬送プーリ１８１と、補助搬送ベルト（第３ベルト）１８２とを備えて構成されている。
【００４４】
補助搬送プーリ１８１は、前後一対となる態様で設置されており、前方側の補助搬送プーリ１８１ａが後方側の補助搬送プーリ１８１ｂよりも上方に配置されている。この前方側の補助搬送プーリ１８１ａは、後方側の入金プーリ１１ａの後方側斜め上方であって、一部が硬貨保持ガイド１６２同士の間に配置されている。
【００４５】
後方側の補助搬送プーリ１８１ｂは、図示せぬ連係手段を通じて上記搬送モータに連係されている。この後方側の補助搬送プーリ１８１ｂは、搬送モータの駆動により、自身の中心軸を軸心としてその軸心回りに回転する駆動プーリである。かかる後方側の補助搬送プーリ１８１ｂは、搬送モータの駆動力が付与されることにより、左方から見て反時計回りに回転する。
【００４６】
補助搬送ベルト１８２は、補助搬送プーリ１８１間に無端状に張設されている。より詳細に説明すると、後方に向けて漸次下方に傾斜する態様で無端状に張設されており、上方側張設部分１８２ａが、分離ベルト１７２の下方側張設部分１７２ｂと略平行となるように配置されている。このような補助搬送ベルト１８２は、後方側の補助搬送プーリ１８１ｂが回転することにより、その延在方向に沿って変位する。より詳細に説明すると、補助搬送ベルト１８２は、後方側の補助搬送プーリ１８１ｂが回転することにより、上方側張設部分１８２ａが後方に向かう態様で変位する。
【００４７】
上述したように後方側の補助搬送プーリ１８１ｂが搬送モータの駆動により回転することから、補助搬送ベルト１８２の変位は、分離ベルト１７２の変位、並びに搬送部材２３の変位と同期されている。
【００４８】
かかる補助搬送ベルト１８２を介して後方側の補助搬送プーリ１８１ｂに連係される前方側の補助搬送プーリ１８１ａは、該後方側の補助搬送プーリ１８１ｂの回転により、自身の中心軸を軸心として左方から見て反時計回りに回転する。つまり、前方側の補助搬送プーリ１８１ａは、後方側の補助搬送プーリ１８１ｂの回転に応じて回転する従動プーリである。
【００４９】
以上のような構成を有する硬貨分離装置１０は、次のようにして入金された硬貨を１枚ずつ分離させた状態で硬貨検銭装置２０に供給することができる。
【００５０】
入金ユニット用モータ１４の駆動によって、入金ベルト１２が変位するとともに入金リバースローラ１３が回転することにより、図６に示すように、硬貨Ｋを互いに重ならないよう入金ベルト１２の上方側張設部分１２ａに載置させて後方に向けて搬送する。ガイド機構部１６における硬貨保持ガイド１６２は、常態においては、入金ベルト１２の上方側張設部分１２ａの後方側の延長線上に、後方に向けて漸次上方に傾斜する姿勢となっているので、入金ベルト１２の上方側張設部分１２ａに搬送された硬貨Ｋがそのまま後方に向けて移動することを許容する。
【００５１】
入金ユニット１０ａにより後方に向けて搬送される硬貨Ｋのうち最も後方にある先頭の硬貨Ｋが、図７に示すように、ストッパ１７４の当接部１７４ａに当接すると、硬貨Ｋの搬送が停止する。つまり、ストッパ１７４は、先頭の硬貨Ｋが入金ベルト１２の上方側張設部分１２ａの後端部より後方に突出した状態で自身に当接する場合、入金ベルト１２の変位に関係なく硬貨Ｋの搬送を規制する。このようにして先頭の硬貨Ｋが当接部１７４ａに当接した場合でも、硬貨押さえガイド１６３により該硬貨Ｋの姿勢を維持することができる。
【００５２】
そして、先頭の硬貨Ｋがストッパ１７４の当接部１７４ａに当接した場合に、搬送モータを駆動させることによって、分離ベルト１７２及び補助搬送ベルト１８２が搬送部材２３の変位に同期して変位する。これにより、図８に示すように、分離ベルト１７２ともに変位する分離用ピン１７３が先頭の硬貨Ｋの上面に当接して該硬貨Ｋを下方に押圧する。
【００５３】
このようにして分離用ピン１７３が先頭の硬貨Ｋを押圧することにより、図９に示すように、硬貨保持ガイド１６２が付勢手段の付勢力に抗して下方に揺動するとともに、硬貨押さえガイド１６３が上方に揺動する。これにより、先頭の硬貨Ｋを他の硬貨Ｋと分離させることができる。
【００５４】
このようにして分離させた先頭の硬貨Ｋを、図１０に示すように、分離ベルト１７２ともに変位する分離用ピン１７３と、この分離用ピン１７３と同期して変位する補助搬送ベルト１８２とで挟持して搬送し、図１１に示すように、硬貨検銭装置２０に供給する。硬貨検銭装置２０に供給された硬貨Ｋは、搬送部材２３により後方に向けて搬送される。
【００５５】
以上説明したように、本発明の実施の形態である硬貨分離装置１０によれば、ストッパ１７４が、入金ユニット１０ａにより互いに重ならないよう搬送される硬貨Ｋのうち先頭の硬貨Ｋが入金ベルト１２の上方側張設部分１２ａの後端部より後方に突出した状態で自身に当接する場合に、入金ベルト１２の変位に関わらず硬貨Ｋの搬送を規制し、分離プーリ１７１の回転によって分離ベルト１７２が延在方向に沿って変位することにより、分離用ピン１７３がストッパ１７４に当接する先頭の硬貨Ｋを押圧して他の硬貨Ｋと分離させるとともに、分離させた硬貨Ｋを後方に向けて漸次下方に傾斜する補助搬送ベルト１８２と挟持して搬送することで供給するので、従来のように回転する回転体の硬貨通過孔を通過させる場合に比して、硬貨Ｋの分離に要する時間の短縮化を図ることができる。
【００５６】
しかも、従来は、入金ユニットで互いに重なり合わないよう搬送された硬貨を硬貨収納部に集合させて互いに積層させているので、一旦互いに重ならないようにした硬貨を硬貨収納部で重なり合わせることになり、硬貨の搬送の形態に無駄があったが、上記硬貨分離装置１０では、入金ユニット１０ａにより互いに重なり合わないよう搬送された硬貨Ｋのうち先頭の硬貨Ｋを他の硬貨Ｋと分離させて供給するだけなので、硬貨Ｋの搬送の形態に無駄がなく、搬送時間の短縮化がより顕著である。
【００５７】
そして、上記硬貨分離装置１０によれば、分離ベルト１７２の変位、並びに補助搬送ベルト１８２の変位は、硬貨検銭装置２０の搬送部材２３の変位と同期されているので、分離して供給した硬貨Ｋの受け渡しをスムーズに行うことができ、これによっても搬送時間の短縮化を図ることができる。
【００５８】
以上、本発明の好適な実施の形態について説明したが、本発明はこれに限定されるものではなく、種々の変更を行うことができる。
【００５９】
上述した実施の形態では、ガイド機構部１６が設けられていたが、本発明においては、入金ユニットにより搬送される硬貨の姿勢を保持することができれば、ガイド機構が設けられていなくてもよい。
【００６０】
また本発明においては、図１１に示すように、硬貨Ｋを硬貨検銭装置２０に供給する領域に硬貨Ｋの姿勢を制御する姿勢制御フラッパ１９が設けられていてもよい。この姿勢制御フラッパ１９が硬貨Ｋの姿勢を制御することにより、硬貨Ｋの受け渡しを安定的に行うことができ、硬貨検銭装置２０での硬貨Ｋの搬送不良等の発生を抑制することができる。
【符号の説明】
【００６１】
１０  硬貨分離装置
１０ａ  入金ユニット
１０ｂ  分離ユニット
１１  入金プーリ（第１プーリ）
１２  入金ベルト（第１ベルト）
１２ａ  上方側張設部分
１３  入金リバースローラ
１６  ガイド機構部
１６１  ガイド本体
１６２  硬貨保持ガイド
１６３  硬貨押さえガイド
１７  分離機構部
１７１  分離プーリ（第２プーリ）
１７２  分離ベルト（第２ベルト）
１７３  分離用ピン（ピン部材）
１７４  ストッパ
１８  補助搬送部
１８１  補助搬送プーリ
１８２  補助搬送ベルト（第３ベルト）
２０  硬貨検銭装置
２３  搬送部材
Ｋ  硬貨
【図１】
2020086582.tif 000003
【図２】
2020086582.tif 000004
【図３】
2020086582.tif 000005
【図４】
2020086582.tif 000006
【図５】
2020086582.tif 000007
【図６】
2020086582.tif 000008
【図７】
2020086582.tif 000009
【図８】
2020086582.tif 000010
【図９】
2020086582.tif 000011
【図１０】
2020086582.tif 000012
【図１１】
2020086582.tif 000013